(57)【要約】【課題】不特定の楽器演奏者同士がインターネット上で、他者と容易に演奏音を作成、合奏、公開するなど、共に音楽を作り、発表するという一連の作業が容易に行える仕組みが出来ていない。【解決手段】電子楽器の音声信号を無線で発信する機器と、無線信号を受信して画面上に再生可能な音声信号として表示し、それをインターネットにより公開し、他の使用者が表示された音声信号を閲覧し、その音声を出力しながら新たな音声信号を重ねることなどが可能なモバイル端末等上のアプリケーション・ソフトウエア。なお、楽器とモバイル端末間を有線で接続する場合も手段に含む。【選択図】図１
2015200801.tif 000002
【特許請求の範囲】
【請求項１】
生楽器のピックアップや電子楽器の本体、エフェクター、ミキサー、アンプ等の機器を含む演奏音声信号経路上に設置、または当該経路上の機器に内蔵する、演奏音声信号をインターネット・プロトコルを用いて送信する無線通信機器。
【請求項２】
インターネットを含むネットワーク上に公開された演奏音声信号に対し、他者が別の演奏音声信号を重ねて公開できる機能を持ったソフトウエア。
【請求項３】
請求項１の機器と請求項２のソフトウエアを組み合わせ、楽器演奏音声をネットワーク通信上で他者と共有する仕組み。
【発明の詳細な説明】
【技術分野】
【０００１】
・アナログの電子音声をデジタル信号に変換する技術
・IPプロトコル等を用いたインターネット通信を無線で可能とするWi-Fi等の技術
・コンピュータ、スマートフォン、タブレット端末等の情報処理端末上のアプリケーション・ソフトウエアの技術
・アプリケーション・ソフトウエアに供されるネットワーク内システムの技術
および以上の技術の組み合わせ
【背景技術】
【０００２】
無線通信技術、およびインターネット網を利用した情報共有を可能としている、いわゆるＳＮＳ等のアプリケーション・ソフトウエアの技術
【先行技術文献】
【特許文献】
【０００３】
【特許文献１】特許公開２００９−１１６３２５  演奏システム、特許公開２００９−９８６８３  演奏システム  （なお、通信ネットワークに接続した複数の楽器を同期演奏させるための解決手段に関するもののため、本出願内容とは異なる。）
【非特許文献】
【０００４】
【非特許文献１】なし
【発明の概要】
【発明が解決しようとする課題】
【０００５】
昨今売り上げの減少による音楽業界全体の凋落が見られて久しい。その最大の理由は、本来音楽の持つコミュニケーション手段としての側面がインターネット上では、いまだ実現できていない点にあると考えられる。インターネット上では、人の音声、文章や絵などによるリアルタイム、双方向、N対Nのコミュニケーションが容易に行えるようになっており、人々はそれを利用することでコミュニケーションの欲求を相当の部分満たしている状態であると考えられる。一方で、音楽についてのインターネットの一般的な活用方法は音楽、音声ファイルをストリーミング、あるいは音声ファイル（映像付きの場合もある）のダウンロードにより、それを再生することにより楽しむという形式である。
しかし、音楽分野における楽しみの本質は、単に既製の音楽ソースを聞くばかりではなく、自分自身で演奏したり、他者と合奏したり、また新たな音楽を他者と共に作り上げ、それを一般に公開するなどということを通して、豊かなコミュニケーションの手段となっている点にあったと考えられる。現在、インターネット上では、人の音声、文章や絵によるコミュケーションが容易に可能な状態である一方で、不特定の楽器演奏者同士がインターネット上で、他者と容易に演奏音を作成、合奏、公開するなど、共に音楽を作り、発表するという一連の作業が容易に行えることは実現されていないため、これを解決する。
【課題を解決するための手段】
【０００６】
電子楽器の音声信号を無線で発信する機器と、無線信号を受信して画面上に再生可能な音声信号として表示し、それをインターネットにより公開し、他の使用者が表示された音声信号データを聴取し、その音声を出力しながら新たな音声信号を重ねることが可能なモバイル端末等上のアプリケーション・ソフトウエアと、そのアプリケーション・ソフトウエアに供されるネットワーク内のシステム。なお、楽器とモバイル端末間を有線で接続する場合も手段に含む。
【発明の効果】
【０００７】
楽器演奏音を無線通信によりモバイル端末等のアプリケーション上に掲載、公開することができる。また、その公開されている音声データファイルに複数の他の利用者が合奏、伴奏を付加し、再公開することができる。音声データファイルのアプリケーション上への公開に当たっては、できるだけ利用者の手間を省けるように、楽器を演奏すれば半ば自動的に公開できる設定が可能な仕様とすることにより、余分なストレス無く、遠隔地者同士であっても音声ファイルの合同制作ができる。これによりインターネット等の通信上での楽器音による利用者間の楽器演奏音を通じてのコミュニケーションと、新たな音楽の生成ができる。
この発明により以下のような波及効果も考えられる。
世界中の楽器演奏者が演奏に参加できることにより、今までに無かった音楽が生み出され、新たな作品の発見の場ともなり、音楽界や周辺の産業の振興が期待できる。また一般個人にとっても、自由な作品発表の場、創作の場であるため、その欲求を満たすことに繋がる。
【図面の簡単な説明】
【０００８】
【図１】楽器音声経路上に装着または経路上の機器に内蔵する無線通信機器と、無線端末から発信された信号等を受信しインターネット上に公開可能な機能を持ったモバイル端末等上のソフトウエアと、インターネット側のシステムを含めた仕組み全体の構成図
【発明を実施するための形態】
【０００９】
生楽器の場合は、まず音声をピックアップ等を用いて電子音に変換した音声出力を得る。電子楽器の場合は、アウトプットからの音声出力を用いる。その出力された音声を通常エフェクター、ミキサー、アンプ等の既存の機器を用い加工し、増幅することもあるが、そのいずれかの段階に、インターネットに接続されたWi-Fi等による接続が可能な機器へ向けた無線信号を送出する装置を装着することにより、電子音声を当該Wi-Fi等接続が可能な機器で受信させる。
受信した機器では、インターネット上で当該音声を共有するソフトウエアを搭載し、当該音声をインターネット上に公開できる。インターネット上では他の利用者が当該音声を聴取することができ、当該音声に合わせて他の利用者が演奏した音声を重ねることができる。
【実施例】
【００１０】
例えばエレクトリックギターの音声アウトプットにWi-Fi通信機器を装着し、スマートフォンのデザリング等の機能を用いて受信する。スマートフォン上では専用の音声ファイル共有用のアプリケーションがインストールされており、演奏したエレクトリックギターの音声が記録される。記録された音声はインターネット上で公開し、他者がそれを聴取しながら自らの演奏を重ねることができる。
なお、ソフトウエアには以下のコントロール機能を備える場合もある。
・楽器を演奏したときに常時自動的に公開するか否か
・聞きながら演奏し重ねた音声のタイミングのずれを調整する機能
・音声に音色の変化や効果を加える機能
・公開範囲を無制限とするか特定のグループの範囲とするかなどを変更する機能
・他者による音声の利用可能な範囲を、聴取のみ、加工可能とするかなどを変更する機能
【産業上の利用可能性】
【００１１】
楽器に装着する楽器用無線端末は単体での販売のほか、楽器の付属品、あるいは楽器そのものに組み込むことも考えられる。
スマートフォン等情報端末上のソフトウエアはネットワーク上からダウンロード可能な状態にし、楽器音の加工が可能なソフトウエアの仕様とすることが考えられる。広く知らしめ、楽しんで利用可能となるよう計画し実施する。
いずれ本申請の技術を用いることが、楽器演奏者ならば当たり前とされ、音楽生成の初期段階における標準的な行為形式となれば、国境を越えた音楽の生成を通じたコミュニケーションが容易に可能な状態となる。これにより、音楽、文化の発展に寄与でき、様々なイベントでの活用や、音楽教育現場での利用など波及的な利用が多々期待できる。
【符号の説明】
【００１２】
1a…楽器または、その音声経路上の機器に内臓、もしくは音声経路上に接続する無線通信機器
1b…無線端末から発信された信号等を受信し、その音声データをインターネット上に公開可能な、モバイル端末、コンピュータ機器等上のアプリケーション・ソフトウエア
1c…公開した音声データに他者が別の音声データを重ねるためなど、1bのソフトウエアに供されるシステム
【図１】
2015200801.tif 000003